(57)【特許請求の範囲】
【請求項１】
建物の屋根面に設けた採光用開口部の周縁に立ち上がり枠を立設し、立ち上がり枠の上にガラス窓を装着した採光窓において、立ち上がり枠の一端から取り付け金具を垂下してこの取り付け金具に上方を開口せる係止溝を形成し、遮光や遮熱等をする調光ユニットの一端に設けた係止ピンを上記係止溝に回転自在になるように引っ掛け係止し、調光ユニットの他端で調光ユニットの外枠に先端が出入り自在な可動ピンを摺動自在に装着すると共に可動ピンの先端の嵌合部が突出するように付勢するばねを可動ピンに設け、可動ピンの摺動の操作部を外枠に設けた長孔から下に突出させ、長孔を覆って光漏れを防止する光漏れ防止板を外枠に摺動自在に装着し、係止ピンと係止溝が係止した部分を中心に調光ユニットを回動してガラス窓と調光ユニットを略平行にした状態で可動ピンの嵌合部を立ち上がり枠の他端側の被嵌合部に嵌合して固定したことを特徴とする採光窓の調光ユニットの取り付け構造。
【請求項２】
調光ユニットの外周の外枠の一端側の枠材をアルミニウムの押し出し成形品にて形成すると共にこの枠材の下端に長手方向に亙る筒部を形成し、この筒部に係止ピンを圧入して固定し、室内の下から見たときに枠材に打入したビスの頭部が見えないように隠す機能を上記筒部に持たせたことを特徴とする請求項１記載の採光窓の調光ユニットの取り付け構造。
【請求項３】
係止ピンを係止溝に引っ掛けるときは係止ピンを挿入できるが、係止ピンを係止溝に挿入して引っ掛けた状態では係止ピンの抜け止めをする回転式のストッパーを取り付け金具に装着したことを特徴とする請求項１記載の採光窓の調光ユニットの取り付け構造。
【請求項４】
取り付け金具とストッパーをかしめで連結してストッパーを回転自在に装着し、ストッパーのかしめ部に凸形状部を設けて凸形状部が取り付け金具に接触するようにしたことを特徴とする請求項３記載の採光窓の調光ユニットの取り付け構造。
【発明の詳細な説明】
【０００１】
【発明の属する技術分野】
本発明は、屋根に設ける採光窓において、遮光したり、減光したり、遮熱したりするための調光ユニットを取り付ける構造に関するものである。
【０００２】
【従来の技術】
採光窓は、建物の屋根面に設けた採光用開口部の周縁に立ち上がり枠１を図１３に示すように立設し、複層ガラスを主体とするガラス窓２を立ち上がり枠１の上面開口を閉塞するように装着してある。図１３の例ではガラス窓２を上下に回動して開閉できるようにしてある。立ち上がり枠１の内面側にはガラス窓２の開閉駆動する駆動ユニット３や駆動の制御を行う制御ユニット４を装着してある。遮光や遮熱を行う調光ユニット５は外枠６内にブラインド等の調光ユニット本体７を組み込んで形成されている。かかる従来例では外枠６内に網戸８も組み込んである。この調光ユニット５は立ち上がり枠１の下方に配置され、外枠６の上端が立ち上がり枠１の下面に当接され、外枠６から立ち上がり枠１に固定ビス９が打入されて取り付けられている。調光ユニット５を取り付けた後、内装材からなる化粧枠１０が調光ユニット５の回りを囲むうように取り付けられる。なお、図１３でＡ側が水上側で、Ｂ側は水下側である。
【０００３】
【発明が解決しようとする課題】
ところで上記従来例にあっては、調光ユニット５の外枠６を上記のように固定ビス９にて立ち上がり枠１に取り付けてあるため、化粧枠１０との納まり上、調光ユニット５の外枠６を取り外すことができなく、調光ユニット５の部品の交換等のメンテナンスを行うときメンテナンスが非常に困難且つ面倒であった。
【０００４】
本発明は上記の点に鑑みてなされたものであり、調光ユニットの取り付けや取り外しが容易にできてメンテナンス性を向上できる採光窓の調光ユニット取り付け構造を提供することを課題とするものである。
【０００５】
【課題を解決するための手段】
上記課題を解決するための本発明の採光窓の調光ユニットの取り付け構造は、建物の屋根面に設けた採光用開口部の周縁に立ち上がり枠１を立設し、立ち上がり枠１の上にガラス窓２を装着した採光窓において、立ち上がり枠１の一端から取り付け金具１１を垂下してこの取り付け金具１１に上方を開口せる係止溝１２を形成し、遮光や遮熱等をする調光ユニット５の一端に設けた係止ピン１３を上記係止溝１２に回転自在になるように引っ掛け係止し、調光ユニット５の他端で調光ユニット５の外枠６に先端が出入り自在な可動ピン１４を摺動自在に装着すると共に可動ピン１４の先端の嵌合部１５が突出するように付勢するばね１６を可動ピン１４に設け、可動ピン１４の摺動の操作部２２を外枠６に設けた長孔２３から下に突出させ、長孔２３を覆って光漏れを防止する光漏れ防止板２４を外枠６に摺動自在に装着し、係止ピン１３と係止溝１２が係止した部分を中心に調光ユニット５を回動してガラス窓２と調光ユニット５を略平行にした状態で可動ピン１４の嵌合部１５を立ち上がり枠１の他端側の被嵌合部１７に嵌合して固定したことを特徴とする。調光ユニット５を取り付けるときは係止ピン１３を係止溝１２に引っ掛け係止し、係止ピン１３を係止した部分を中心に回動して可動ピン１４側を持ち上げ、可動ピン１４の嵌合部１５を被嵌合部１７に嵌合することで取り付けることができる。逆に調光ユニット５を取り外す場合は、可動ピン１４の嵌合部１５と被嵌合部１７との嵌合を外し、係止ピン１３を中心に回転して可動ピン１４側を降ろし、係止溝１２から係止ピン１３を抜き取って調光ユニット５を取り外す。このように調光ユニット５を取り付けたり取り外したりできるために調光ユニット５の周囲を囲む化粧枠１０を立ち上がり枠１に取り付けたままでも調光ユニット５の取り付け取り外しが容易にできて調光ユニット５のメンテナンスが容易にできる。また調光ユニット５の外枠６に可動ピン１４を摺動自在に装着し、可動ピン１４の摺動の操作部２２を外枠６に設けた長孔２３から下に突出させ、長孔２３を覆って光漏れを防止する光漏れ防止板２４を外枠６に摺動自在に装着したことにより、操作部２２を長孔２３に挿通した部分から光漏れするのを簡単に防止できる。
【０００６】
また調光ユニット５の外周の外枠６の一端側の枠材６ａをアルミニウムの押し出し成形品にて形成すると共にこの枠材６ａの下端に長手方向に亙る筒部１８を形成し、この筒部１８に係止ピン１３を圧入して固定し、室内の下から見たときに枠材６ａに打入したビス１９の頭部が見えないように隠す機能を上記筒部１８に持たせたことを特徴とすることも好ましい。枠材６ａに設けた筒部１８に係止ピン１３を圧入するだけで係止ピン１３を取り付けることができて係止ピン１３の取り付けが容易にできる。この係止ピン１３を取り付けるための筒部１８を利用してビス１９の頭部を隠して外観良くできる。
【０００７】
また係止ピン１３を係止溝１２に引っ掛けるときは係止ピン１３を挿入できるが、係止ピン１３を係止溝１２に挿入して引っ掛けた状態では係止ピン１３の抜け止めをする回転式のストッパー２０を取り付け金具１１に装着したことを特徴とすることも好ましい。係止ピン１３を係止溝１２に係止したとき、ストッパー２０にて係止ピン１３の抜け止めができ、不用意な外力で係止ピン１３と係止溝１２の係止が外れて調光ユニット５が落下したりする危険性がなくなる。
【０００８】
また取り付け金具１１とストッパー２０をかしめで連結してストッパー２０を回転自在に装着し、ストッパー２０のかしめ部に凸形状部２１を設けて凸形状部２１が取り付け金具１１に接触するようにしたことを特徴とすることも好ましい。ストットパー２０をかしめにて回転自在に取り付けてもストッパー２０が円滑に回転するように取り付けることができる。
【００１０】
【発明の実施の形態】
図１でＡ側は屋根の水上側であり、Ｂ側が水下側である。屋根面に採光用開口部を形成してあり、この採光用開口部の周囲には矩形枠状の立ち上がり枠１を上方に立ち上がるように形成してある。図１では立ち上がり枠１を水平に図示してあるが、実際は水上側が上に位置し、水下側が下に位置するように傾斜している。複層ガラスを主体とするガラス窓２は立ち上が枠１の上端の開口を閉塞するように被着してある。本例のガラス窓２は開閉自在なものであり、上下に回動して開閉するようになっている。ガラス窓２と立ち上がり枠１との間にはガラス窓２が開くときに付勢するガススプリング２５を装着してある。また立ち上がり枠１の内面側にはガラス窓２の開閉駆動する駆動ユニット３や駆動の制御を行う制御ユニット４を装着してある。かかる駆動ユニット３や制御ユニット４はケーシング２６内に収納してある。立ち上がり枠１の下方には内装材を矩形状に枠組みした化粧枠１０を配置してあり、化粧枠１０の上端を立ち上がり枠１の下端に装着してある。かかる化粧枠１０は後述する調光ユニット５の周囲を囲んで化粧するものである。
【００１１】
調光ユニット５は外枠６内にブラインド等の調光ユニット本体７を組み込んで形成されている。外枠６はアルミニウムを押し出し成形して形成せる枠材を矩形状に枠組みして形成されている。この外枠６の水上側に位置する枠材６ａの下端には図４に示すように断面Ｃ字状の筒部１８を長手方向全長に亙って設けてある。係止ピン１３はピン本体１３ａの一端に鍔部１３ｂを一体に設け、ピン本体１３ａの他端から圧入部１３ｃを一体に連出して形成されている。係止ピン１３は枠材６ａの長手方向の両端に配置され、圧入部１３ｃを筒部１８に圧入することで取り付けられている。外枠６の水下側である他端の下部には可動ピンユニット２８が取り付けられる。この可動ピンユニット２８は固定台部２９に可動ピン１４を摺動自在に装着し、固定台部２９に先端の嵌合部１５が突出する方向に付勢するばね１６を装着して構成され、固定台部２９を外枠６の下板３０に取り付けることにより装着してある。可動ピン１４の嵌合部１５と反対の端部に可動ピン１４に対してＬ字状に曲げた操作部２２を設けてあり、外枠６の下板３０に設けた長孔２３に挿通してある。そして操作部２２を手で持って可動ピン１４の摺動操作をすることで嵌合部１５を出し入れすることができるようになっている。
【００１２】
立ち上がり枠１の水上側の枠材１ａの長手方向の両端には取り付け金具１１が垂下するように取り付けられている。この取り付け金具１１は上下に長い板状であり、枠材１ａの下端に固定ビス３１にて固定されている。この取り付け金具１１の下部には係止溝１２が形成されているが、この係止溝１２は略Ｕ字状の凹部１２ａと傾斜した導入部１２ｂとで構成されている。立ち上がり枠１の水下側ではケーシング２６に被嵌合部１７を設けてあり、可動ピン１４の嵌合部１５が被嵌合部１７に嵌合するようになっている。
【００１３】
調光ユニット５を取り付ける場合、係止溝１２と係止ピン１３とが対応させられ、係止ピン１３のピン本体１３ａを係止溝１２の導入部１２ｂから導入してピン本体１３ａを凹部１２ａに挿入することで係止ピン１３が係止溝１２に回転自在に係止され、この状態で係止ピン１３を係止溝１２に係止した部分を中心に調光ユニット５の他端が上に行くように回動し、可動ピン１４の嵌合部１５を被嵌合部１７に嵌合する。逆に調光ユニット５を取り外す場合、操作部２２を操作して可動ピン１４を摺動させて嵌合部１５を被嵌合部１７から外し、調光ユニット５の可動ピン１４側を下降させ、係止溝１２から係止ピン１３を抜き取って調光ユニット５を取り外す。このように調光ユニット５を取り付けたり、取り外したりできることにより調光ユニット５の周囲を囲む化粧枠１０を立ち上がり枠１に取り付けたままでも調光ユニット５の取り付け取り外しが容易にできて調光ユニット５のメンテナンスが容易にできる。また外枠６の水上側の枠材６ａの下端に筒部１８を設けてあることにより、図４（ｃ）のように室内側から矢印Ｃのように見たとき調光ユニット本体７を外枠６に固定するビス１９の頭部が見えない。
また可動ピン１４の操作部２２は外枠６の下板３０の長孔２３から下方に突出させてあるが、下板３０の長孔２３から光が漏れるおそれがあるが。これを防止するために図９に示すように長孔２３を覆って光漏れを防止する光漏れ防止板２４を外枠６の下板３０に摺動自在に載置してあり、光漏れ防止板２４に操作部２２を挿通してある。これにより、操作部２２を移動させるための長孔２３が光漏れ防止板２４で覆われて長孔２３から光が漏れることがない。また操作部２２は可動ピン１４の端部をＬ字状の曲げて形成されているので、光漏れ防止板２４が下板３０と曲げ部３５との間に挟まれて図９（ｃ）の想像線のように光漏れ防止板２４が浮き上がることがない。
【００１４】
また図５、図６は他の例を示すものである。これは係止溝１２に係止ピン１３を引っ掛け係止したとき外れるのを防止する構造である。係止溝１２の上で取り付け金具１１に板状のストッパー２０を回転自在に装着してあり、ストッパー２０に外力がかからない状態ではストッパー２０の自重でストッパー２０の下端が係止溝１２の凹部１２ａの上に位置するようになっている。ストッパー２０の上部には第１規制突起３１ａと第２規制突起３１ｂとを間隔を隔てて配置してあり、取り付け金具１１には第１規制突起３１ａや第２規制突起３１ｂが当る規制ピン３２が設けてある。係止ピン１３を係止溝１２に係止する場合は、図６（ａ）に示すように係止溝１２の導入部１２ｂから凹部１２ａに挿入して係止するが、このとき、ストッパー２０を係止ピン１３が押してストッパー２０が退避するように回動して係止ピン１３をスムーズに挿入して係止できる。このとき第１規制突起３１ａが規制ピン３２に当って必要以上にストッパー２０が回転するのが阻止される。係止ピン１３を係止溝１２に係止すると、ストッパー２０は自重で回転して図６（ｂ）に示すように第２規制突起３１ｂが規制ピン３２に当って止まり、この状態でストッパー２０の下端が凹部１２ａの上方に位置して導入部１２ｂが閉塞されて係止ピン１３が抜け止めされる。これにより突発的外力（地震等）に対して万一の場合でも係止ピン１３が外れて調光ユニット５が落下するおそれがない。調光ユニット５を取り外す場合は、ストッパー２０を図６（ａ）のように回動して係止ピン１３を係止溝１２から抜く。
【００１５】
次に図７、図８は他の例を示すものである。これは取り付け金具１１にストッパー２０を回転自在に取り付けるとき、ストッパー２０が自重でもスムーズに回転するように取り付ける構造である。取り付け金具１１にストッパー２０を回転自在に取り付けるとき例えば、リベット３３をこれらの間に挿通してかしめ固定されている。かかるストッパー２０をかしめ固定で取り付けるのはリベット３３に限定されず、他の手段でもよい。ストッパー２０にはプレス加工することで片面に凸形状部２１が形成され、他面に凹形状部３４が形成されるように加工してあり、凸形状部２１が取り付け金具１１に当接するようにストッパー２０を取り付け金具１１に取り付けてある。この凸形状部２１が取り付け金具１１に接触することでこれらの間にクリアランスＤが形成され、ストッパー２０ががたつきなく且つスムーズに回転するように取り付けられる。
【００１７】
また図１０乃至図１１は他の例を示す。制御ユニット４はケーシング２６内に収納されるが、このケーシング２６はアルミニムの押し出し成形で形成されており、ケーシング２６の長手方向の両端は開口している。このケーシング２６の長手方向の両端が開口していると、この開口から虫等が浸入するおそれがあり、これを防止するために側カバーが必要がある。そこで制御ユニット４に接続する電源コード３７を挿入する必要がない開口には図１１に示すような側カバー３８を被着している。この側カバー３８は位置決めリブ３９で位置決めし、固定用穴４０からビスを螺入して取り付けてある。電源コード３７を挿入する側では図１２に示すような側カバー４１を被着している。この側カバー４１は位置決めリブ３９で位置決めし、固定用穴４０からビスを螺入して取り付けられ、側カバー４１に貫通するように設けた電線挿通穴４２に電源コード３７が挿通されている。さらにこの側カバー４１には電線挿通穴４２に連続するカバー筒４３を突設してあり、このカバー筒４３に電源コード３７を挿通してあり、側カバー４１と化粧枠１０との間で電源コード３７が露出しないように電源コード３７をカバー筒４３で覆ってある。これにより外観上、電源コード３７が見える弊害を防止できる。
【００１８】
【発明の効果】
本発明の請求項１の発明は、立ち上がり枠の一端から取り付け金具を垂下してこの取り付け金具に上方を開口せる係止溝を形成し、遮光や遮熱等をする調光ユニットの一端に設けた係止ピンを上記係止溝に回転自在になるように引っ掛け係止し、調光ユニットの他端に先端が出入り自在な可動ピンを摺動自在に装着すると共に可動ピンの先端の嵌合部が突出するように付勢するばねを可動ピンに設け、係止ピンと係止溝が係止した部分を中心に調光ユニットを回動してガラス窓と調光ユニットを略平行にした状態で可動ピンの嵌合部を立ち上がり枠の他端側の被嵌合部に嵌合して固定したので、調光ユニットを取り付けるときは係止ピンを係止溝に引っ掛け係止し、係止ピンを係止した部分を中心に回動して可動ピン側を持ち上げ、可動ピンの嵌合部を被嵌合部に嵌合することで取り付けることができ、また逆に調光ユニットを取り外す場合は、可動ピンの嵌合部と被嵌合部との嵌合を外し、係止ピンを中心に回転して可動ピン側を降ろし、係止溝から係止ピンを抜き取って調光ユニットを取り外すことができるものであって、このように調光ユニットを取り付けたり取り外したりできるために調光ユニットの周囲を囲む化粧枠を立ち上がり枠に取り付けたままでも調光ユニットの取り付け取り外しが容易にできて調光ユニットのメンテナンスが容易にできるものである。また調光ユニットの外枠に可動ピンを摺動自在に装着し、可動ピンの摺動の操作部を外枠に設けた長孔から下に突出させ、長孔を覆って光漏れを防止する光漏れ防止板を外枠に摺動自在に装着しているので、操作部を長孔に挿通した部分から光漏れするのを簡単に防止できるものである。
【００１９】
また本発明の請求項２の発明は、請求項１において、調光ユニットの外周の外枠の一端側の枠材をアルミニウムの押し出し成形品にて形成すると共にこの枠材の下端に長手方向に亙る筒部を形成し、この筒部に係止ピンを圧入して固定し、室内の下から見たときに枠材に打入したビスの頭部が見えないように隠す機能を上記筒部に持たせたので、枠材に設けた筒部に係止ピンを圧入するだけで係止ピンを取り付けることができて係止ピンの取り付けが容易にできるものであり、しかも係止ピンを取り付けるための筒部を利用してビスの頭部を隠して外観良くできるものである。
【００２０】
また本発明の請求項３の発明は、請求項１において、係止ピンを係止溝に引っ掛けるときは係止ピンを挿入できるが、係止ピンを係止溝に挿入して引っ掛けた状態では係止ピンの抜け止めをする回転式のストッパーを取り付け金具に装着したので、係止ピンを係止溝に係止したとき、ストッパーにて係止ピンの抜け止めができ、不用意な外力で係止ピンと係止溝の係止が外れて調光ユニットが落下したりする危険性がなくなるものである。
【００２１】
また本発明の請求項４の発明は、請求項３において、取り付け金具とストッパーをかしめで連結してストッパーを回転自在に装着し、ストッパーのかしめ部に凸形状部を設けて凸形状部が取り付け金具に接触するようにしたので、ストッパーをかしめにて回転自在に取り付けてもストッパーが円滑に回転するように取り付けることができるものである。
【図面の簡単な説明】
【図１】本発明の実施の形態の一例の正面から見た断面図である。
【図２】同上の側面から見た断面図である。
【図３】同上の係止ピンを係止する状態を示し、（ａ）は正面図、（ｂ）は側面図である。
【図４】（ａ）は外枠の水上側の枠材の断面図、（ｂ）は枠材に係止ピンを取り付ける状態を示す説明図、（ｃ）は枠材の筒部の働きを説明する説明図である。
【図５】同上の他の例の取り付け金具とストッパーを示し、（ａ）は正面図、（ｂ）は側面図である。
【図６】（ａ）（ｂ）は同上の係止溝に係止ピンを係止する状態を説明する正面図である。
【図７】（ａ）は同上の他の例の取り付け金具にストッパーを取り付けた状態の正面型見た断面図、（ｂ）はストッパーの側面図である。
【図８】同上のストッパーの要部の断面図である。
【図９】同上の外枠に可動ピンユニットを取り付けた状態を示し、（ａ）は正面図、（ｂ）は底面図、（ｃ）は動作を説明する正面図である。
【図１０】同上の他の例を示し、（ａ）は側面から見た断面図、（ｂ）は要部の正面から見た断面図である。
【図１１】同上の一方の側カバーを示し（ａ）は平面図、（ｂ）は正面図、（ｃ）は側面図である。
【図１２】同上の他方の側カバーを示し（ａ）は平面図、（ｂ）は正面図、（ｃ）は側面図である。
【図１３】従来例を示す断面図である。
【符号の説明】
１  立ち上がり枠
２  ガラス窓
５  調光ユニット
６  外枠
１１  取り付け金具
１２  係止溝
１３  係止ピン
１４  可動ピン
１５  嵌合部
１６  ばね
１７  被嵌合部
１８  筒部
１９  ビス
２０  ストッパー
２１  凸形状部
２２  操作部
２３  長孔
【図１】
0003596522.tif 000002
【図２】
0003596522.tif 000003
【図３】
0003596522.tif 000004
【図４】
0003596522.tif 000005
【図５】
0003596522.tif 000006
【図６】
0003596522.tif 000007
【図７】
0003596522.tif 000008
【図８】
0003596522.tif 000009
【図９】
0003596522.tif 000010
【図１０】
0003596522.tif 000011
【図１１】
0003596522.tif 000012
【図１２】
0003596522.tif 000013
【図１３】
0003596522.tif 000014